(57)【要約】      （修正有）【課題】使い捨て可能な内殻の取り外しを簡単に行えるようにした二重構造の食器を提供する。【解決手段】外殻をなす硬質素材からなる食器本体１１と、該食器本体１１の内周面形状に沿う外周面形状を有して食器本体１１内に嵌合される内殻をなす薄手の補助容器１２からなり、該補助容器１２の上端部１３は食器本体１１の上端部１４に嵌合可能に形成する。食器本体の側壁内周を底部から上方に向かって次第に広がるように形成し、食器本体の上端部の外周に上端から下方に向けて次第に広がる傾斜部を形成するようにしてもよい。【選択図】図１
0003163834.tif 000002
【実用新案登録請求の範囲】
【請求項１】
外殻をなす硬質素材からなる食器本体と、該食器本体の内周面形状に沿う外周面形状を有して前記食器本体内に嵌合される内殻をなす薄手の補助容器からなり、該補助容器の上端部は前記食器本体の上端部に嵌合可能に形成されてなることを特徴とする二重構造の食器。
【請求項２】
食器本体の側壁内周を底部から上方に向かって次第に広がるように形成し、前記食器本体の上端部の外周に上端から下方に向けて次第に広がる傾斜部を形成した請求項１に記載の二重構造の食器。
【考案の詳細な説明】
【技術分野】
【０００１】
本考案は、硬質素材からなる食器本体に使い捨て可能な補助容器を装着して使用する二重構造の食器に関する。
【背景技術】
【０００２】
従来、病院や介護施設での食事、学校での給食等に用いられている食器は、陶磁器製や硬質樹脂製のものが一般的である。これらの食器は使用後、洗浄して再使用されるものである。
しかし、病院や介護施設、学校等では、感染症が発生すると、多数の人に感染してしまうおそれがある。使い捨ての食器であれば、洗浄の手間が省け、感染等の危険を回避することができ好ましい。この場合、使い捨ての食器であっても保形力をもたせるためには、ある程度しっかりした素材でなければならず、一度の使用で廃棄するのは、経済的にも資源的にも損失が大きい。
そこで、外側はしっかりした素材で形成して保形力を保ち、内側には簡素な素材により使い捨て可能な二重構造とすれば、経済的にも資源的にも有利である。
【０００３】
このような二重構造をもつ食器として、硬質素材よりなる外殻に断熱素材よりなる内殻を着脱自在に積層した食器がある。この食器は、図５に示すように、陶磁器製の丼等を外殻１とし、この外殻１の高さより低く構成した断熱素材からなる内殻２を外殻１内に着脱自在に積層したものである。
内殻２に発泡樹脂からなる断熱素材を用いることにより、盛りつけた料理が冷めることを防止し、外殻１に従来と同様の陶磁器製の食器を用いることにより、従来の食器と外観及び感触において遜色のないものとしている。そして、内殻２は使い捨てとすることができるものとなっている。
【０００４】
しかし、内殻２はその上端部が外殻１の上端部内周に形成された段部３に係合されて外殻１内に固定されるので、しっかり固定されるが、その代わりに、取り外し難いものとなっている。このため、外殻１から内殻２を取り外すのに手間取り、多数を処理するには面倒である。
【先行技術文献】
【特許文献】
【０００５】
【特許文献１】実開平５−７６３７６号公報
【考案の概要】
【考案が解決しようとする課題】
【０００６】
そこで、本考案の目的は、使い捨て可能な内殻の取り外しを簡単に行えるようにした二重構造の食器を提供することにある。
【課題を解決するための手段】
【０００７】
上記課題を解決するため、本考案による二重構造の食器は、外殻をなす硬質素材からなる食器本体と、該食器本体の内周面形状に沿う外周面形状を有して前記食器本体内に嵌合される内殻をなす薄手の補助容器からなり、該補助容器の上端部は前記食器本体の上端部に嵌合可能に形成されてなること、を特徴としている。
ここで、食器本体の側壁内周を底部から上方に向かって次第に広がるように形成し、前記食器本体の上端部の外周に上端から下方に向けて次第に広がる傾斜部を形成するようにしてもよい。
【考案の効果】
【０００８】
本考案による二重構造の食器によれば、外殻をなす硬質素材からなる食器本体と、食器本体内に嵌合される内殻をなす薄手の補助容器からなり、補助容器の上端部は食器本体の上端部に嵌合可能に形成したので、食器本体から補助容器を指先で容易に取り外すことができる。
使用後は薄手の補助容器を取り外して使い捨てとすることにより、食器使用後の洗浄作業が低減される。このため、病院や介護施設での食事、学校等での給食用の食器として用いれば、食事を通しての中毒や感染の恐れが低減される。
食器本体で強度を保っているので、補助容器は十分な保形力を有しなくともよく、薄手でも足りる。このため、使い捨てであっても、経済的である。
食器本体の側壁内周を底部から上方に向かって次第に広がるように形成し、食器本体の上端部の外周に上端から下方に向けて次第に広がる傾斜部を形成するようにすれば、補助容器も食器本体の内周形状に略沿う形状に形成されるとともに、上端部の外周に傾斜部が形成されるので、補助容器を多数積み重ねることが可能となり、収納スペースが小さくて済む。
【図面の簡単な説明】
【０００９】
【図１】本考案の第１実施例による二重構造の食器の装着前後の断面説明図である。
【図２】本考案の第２実施例による二重構造の食器の装着前後の断面説明図である。
【図３】本考案の第２実施例における補助容器の積層状態の断面説明図である。
【図４】本考案の第３実施例による二重構造の食器の断面説明図である。
【図５】従来例による二重構造の食器の断面説明図である。
【考案を実施するための形態】
【００１０】
以下、本考案を実施するための形態を図面に基づいて具体的に説明する。本考案の第１実施例による二重構造の食器１０は、外殻をなす食器本体１１と、該食器本体１１内に嵌合される内殻をなす薄手の補助容器１２からなる。食器本体１１は、陶磁器、ガラス、硬質樹脂、金属等の硬質素材からなり、従来の食器と同様ものが使用でき十分な強度をもつ。
従って、食器本体１１内に嵌合される補助容器１２は、十分な強度を必要とせず、薄手のプラスチック材などで十分である。この補助容器１２は、食器本体１１の内周面形状に略沿う外周面形状に形成されている。そして、補助容器１２の上端部１３は、食器本体１１の上端部１４に嵌合する形状（逆樋状）に形成されている。取り外す際には、補助容器１２の上端部１３の外周端縁を指先で持ち上げれば、容易に食器本体１１から分離される。このため、使用後の補助容器１２の廃棄作業に手間がかからない。
一方、食器本体１１は繰り返し使用可能で、薄手の補助容器１２のみを取り換えればよいので、経済的である。
【００１１】
図２は第２実施例による二重構造の食器２０で、食器本体２１の側壁内周２２を底部から上方に向かって次第に広がるように形成し、食器本体２１の上端部２３の外周に上端から下方に向けて次第に大径となる（広がる）傾斜部２４を形成したもので、補助容器２５も食器本体２１の内周面形状に略沿う形状に形成されるとともに、上端部２６の外周に食器本体２１に形成した傾斜部２４に対応する傾斜部２７が形成されている。このため、補助容器２５を多数積み重ねても、収納スペースが小さくて済む（図３）。
【００１２】
本考案による二重構造の食器１０（２０）を使用するには、先ず、食器本体１１（２１）内に補助容器１２（２５）を嵌合（装着）して（図１（ａ）、図２（ａ））二重構造の食器１０（２０）とする（図１（ｂ）、図２（ｂ））。このとき、食器本体１１（２１）の内周部だけでなく、上端部１４（２３）も補助容器１２（２５）の上端部１３（２６）が嵌合されるので、食器本体１１（２１）に補助容器１２（２５）が安定して固定される。この状態で補助容器１２（２５）内へ料理を盛りつけて使用する。この場合、食器本体１１（２１）は陶磁器など従来と同様のものを使えるので、外観や感触も遜色ないものとなる。
そして、使用後は、補助容器１２（２５）の上端部１３（２６）を指先で持ち上げれば、食器本体１１（２１）から補助容器１２（２５）を簡単に取り外すことができる。
【００１３】
図４は、第３実施例による二重構造の食器３０で、コップに適用した場合を示す。コップの場合、コップに口を付けて飲むので、食器（コップ）本体３１の上部３２に直接口が触れないようにするため、補助容器３３の上端部３４外周縁部３５を下方に長く延ばしてある。このようにすれば、食器本体３１は汚れないので、洗浄作業が不要となる。コップの他、丼など直接口をつけて飲食する食器の場合も同様の構造とする。
【００１４】
本考案による二重構造の食器１０（２０，３０）は、病院や介護施設での食事用、学校等での給食用の食器として好適である。食器の洗浄作業が不要となり、洗剤や水の使用も不要となり、感染防止に貢献するものである。また、家庭用として弁当箱等に利用すれば、食後補助容器１２（２５）を廃棄して食器本体１１（２１）のみをきれいな状態で持ち帰ることができる。
【符号の説明】
【００１５】
１０  二重構造の食器
１１  食器本体
１２  補助容器
１３  補助容器の上端部
１４  食器本体の上端部
２０  二重構造の食器
２１  食器本体
２２  側壁内周
２３  食器本体の上端部
２４  食器本体の傾斜部
２５  補助容器
２６  補助容器の上端部
２７  補助容器の傾斜部
３０  二重構造の食器
３１  食器（コップ）本体
３２  食器本体の上部
３３  補助容器
３４  補助容器の上端部
３５  外周縁部
【図１】
0003163834.tif 000003
【図２】
0003163834.tif 000004
【図３】
0003163834.tif 000005
【図４】
0003163834.tif 000006
【図５】
0003163834.tif 000007